(57)【要約】【課題】外針を保持する外針ハブに分岐管や翼が設けられている場合にも、外針ハブを覆うためのプロテクタを大型化することなく確実に装着し、前記外針及び該外針から突出した内針を保護し、それらの位置ずれを防止すると共に安全面を確保することができる穿刺具を提供する。【解決手段】プロテクタ５は、外針２１を収容する円筒部５１と、前記円筒部から軸線方向に延設されて該プロテクタの側面を形成すると共に、該側面に開口部５３を形成する支持脚部５２とを有し、内針ハブ４１の一端側には、該内針ハブの周方向に沿って筒状に形成された嵌合部４１ａが設けられ、前記支持脚部の一端側には、前記嵌合部の周方向に沿って湾曲形成され、所定の長さと幅を有する溝部５２ａが設けられ、前記プロテクタの側面の開口部に外針ハブ２２の突起部位２２Ａ，２２Ｂが配置され、前記支持脚部の溝部に前記嵌合部の一部が嵌入され、前記外針が前記円筒部に収容されている。【選択図】図１
2014069028.tif 000002
【特許請求の範囲】
【請求項１】
外針と、前記外針の基端部を保持すると共に、側面に突起部位を有する外針ハブと、前記外針に先端部が挿入される内針と、前記内針の基端部を保持する筒状の内針ハブと、前記外針を覆うプロテクタとを備える穿刺具であって、
前記プロテクタは、前記外針を収容する円筒部と、前記円筒部から軸線方向に延設されて該プロテクタの側面を形成すると共に、該側面に開口部を形成する支持脚部とを有し、
前記内針ハブの一端側には、該内針ハブの周方向に沿って形成された嵌合部が設けられ、
前記支持脚部の一端側には、前記嵌合部の周方向に沿って形成され、所定の長さと幅を有する溝部が設けられ、
前記プロテクタの側面の開口部に前記外針ハブの突起部位が配置され、前記支持脚部の溝部に前記嵌合部の一部が嵌入され、前記外針が前記円筒部に収容されることを特徴とする穿刺具。
【請求項２】
前記円筒部から軸線方向に沿って複数の前記支持脚部が延設され、前記複数の支持脚部の間に前記開口部が形成されていることを特徴とする請求項１に記載された穿刺具。
【請求項３】
前記支持脚部の溝部の側面と、前記嵌合部の内側面または外側面には、それぞれ周方向に沿って延びるリブ状突起が設けられ、
前記支持脚部の溝部の側面と前記嵌合部の内側面または外側面との間に、前記リブ状突起が介在し、それらが互いに係合することを特徴とする請求項１または請求項２に記載された穿刺具。
【請求項４】
前記支持脚部の溝部の側面、或いは前記嵌合部の内側面または外側面のいずれか一方に、周方向に沿って延びるリブ状突起が設けられ、
前記支持脚部の溝部の側面と前記嵌合部の内側面または外側面との間に、前記リブ状突起が介在し、前記支持脚部の溝部に前記嵌合部が嵌入されることを特徴とする請求項１または請求項２に記載された穿刺具。
【請求項５】
前記支持脚部の溝部の側面、或いは前記嵌合部の内側面または外側面のいずれかに、軸線方向に延びるリブ状突起が設けられ、
前記支持脚部の溝部の側面と前記嵌合部の内側面または外側面との間に、前記リブ状突起が介在し、前記支持脚部の溝部に前記嵌合部が嵌入されることを特徴とする請求項１乃至請求項４のいずれかに記載された穿刺具。
【発明の詳細な説明】
【技術分野】
【０００１】
本発明は穿刺具に関し、特に外針（カテーテル）を血管に留置するための穿刺具に関する。
【背景技術】
【０００２】
従来から、例えば、特許文献１に記載されているような外針を血管に留置するための穿刺具が知られている。
このような穿刺具は、外針と外針ハブと、外針に先端部が挿入される内針と、内針の基端部を内部に保持する筒状の内針ハブとを備えている。
【０００３】
具体的には、特許文献１に記載された穿刺具を図１５に基づいて説明する。
この穿刺具１００は、図１５（Ａ）に示すように、外針１０２ａと外針ハブ１０２ｂと、外針１０２ａに先端部が挿入される内針１０３と、内針の基端部を内部に保持する筒状の内針ハブ１０１とを備えている。
【０００４】
そして、穿刺具１００の使用方法について説明すると、図１５（Ａ）に示すように、内針ハブ１０１内にスライドカバー１０４が収納され、外針１０２ａの先端から内針１０３の先端１０３ａが突出した状態で、患者の身体１１０に穿刺（刺針）される。
【０００５】
その後、外針１０２ａを体内に送った後（図１５（Ｂ）参照）、外針１０２ａを体内に刺し置いた状態で、内針ハブ１０１を手元に引っ張ることにより、スライドカバー１０４が伸長し、内針の先端１０３ａが体内から抜ける（図１５（Ｃ）参照）。
そして、更に同方向に内針ハブ１０１を引っ張ることで、手に触れることなく、内針１０３の先端１０３ａが同スライドカバー１０４内に保持される。
【０００６】
次いで、斯かる状態で内針ハブ１０１を周方向に回動させ（図１５（Ｄ）参照）、スライドカバー１０４の全体が同方向に回転して先端側のホルダー１０５が解除される（取り外される）。
その結果、外針１０２ａのみを体内に留置し、内針１０３を収容した内針ハブ１０１を取外すことができ、内針１０３をそのまま廃棄することができる（図１５（Ｅ）参照）。
【０００７】
前記穿刺具にあっては、図１５に示した形状の他に、図１６に示すように外針１０２ａの基端を保持する外針ハブ１０２ｂにおいて、その側面に分岐管１０５が設けられたものがある。更には、外針ハブ１０２ｂの左右両側にそれぞれ延設され、外針ハブ１０２ｂと一体形成された一対の翼１０６を有するものがある。前記一対の翼１０６は、これを粘着テープ等により皮膚に固定し、カテーテル１０２のずれを防止するために用いられる。尚、このような穿刺具については、特許文献２に開示されている。
【先行技術文献】
【特許文献】
【０００８】
【特許文献１】特開２００２−０００７２７号公報
【特許文献２】特開平１０−１７９７３４号公報
【発明の概要】
【発明が解決しようとする課題】
【０００９】
ところで、従来の穿刺具においては、患者の身体１１０に外針１０２ａを穿刺する際、外針１０２ａの先端から内針１０３の先端１０３ａが突出した状態となっている必要がある。そのため、穿刺具の使用前にあっては、内針１０３と外針１０２ａとの軸方向の位置がずれないように、また安全面からキャップ状のプロテクタを外針１０２ａおよび内針１０３に被せて保護したいという要求があった。
【００１０】
しかしながら、図１６に示すように外針ハブ１０２ｂの側面に分岐管１０５が設けられていたり、翼１０６が設けられた穿刺具にあっては、前記プロテクタを被せる場合に、前記突起した分岐管１０５や翼１０６が障害となる。
即ち、外針ハブ１０２ｂの全体を前記プロテクタで覆うことができないという課題があった。また、分岐管１０５や翼１０６を収容可能なプロテクタを形成すると、非常に大型なプロテクタになるという課題があった。
【００１１】
本発明は、上記技術的課題を解決するためになされたものであり、外針を保持する外針ハブに分岐管や翼が設けられている場合にも、外針ハブを覆うためのプロテクタを大型化することなく確実に装着し、前記外針及び該外針から突出した内針を保護し、それらの位置ずれを防止すると共に安全面を確保することができる穿刺具を提供することを目的とする。
【課題を解決するための手段】
【００１２】
上記技術的課題を解決するためになされた本発明にかかる穿刺具は、外針と、前記外針の基端部を保持すると共に、側面に突起部位を有する外針ハブと、前記外針に先端部が挿入される内針と、前記内針の基端部を保持する筒状の内針ハブと、前記外針を覆うプロテクタとを備える穿刺具であって、前記プロテクタは、前記外針を収容する円筒部と、前記円筒部から軸線方向に延設されて該プロテクタの側面を形成すると共に、該側面に開口部を形成する支持脚部とを有し、前記内針ハブの一端側には、該内針ハブの周方向に沿って形成された嵌合部が設けられ、前記支持脚部の一端側には、前記嵌合部の周方向に沿って形成され、所定の長さと幅を有する溝部が設けられ、前記プロテクタの側面の開口部に前記外針ハブの突起部位が配置され、前記支持脚部の溝部に前記嵌合部の一部が嵌入され、前記外針が前記円筒部に収容されることに特徴を有する。
このような構成によれば、前記プロテクタの側面には、開口部が設けられるため、前記開口部に突起部位（図１６に示した分岐管１０５や翼１０６など）を配置することができ、支持脚部を前記突起部位に干渉させずに内針ハブに嵌合させることができる。
即ち、外針ハブに分岐管や翼などの突起部位が設けられている場合にも、プロテクタを大型化することなく確実に装着することができ、前記円筒部により外針及び該外針の先端から突出した内針を収容して保護し、それらの位置ずれを防止すると共に、安全面を確保することができる。
【００１３】
尚、前記円筒部から軸線方向に沿って複数の前記支持脚部が延設され、前記複数の支持脚部の間に前記開口部が形成されていることが望ましい。
このように複数の支持脚部を設けることにより、プロテクタの側面において、周方向に複数の開口部を形成することができ、複数の突起部位をそれら開口部に配置することができる。
【００１４】
また、前記支持脚部の溝部の側面と、前記嵌合部の内側面または外側面には、それぞれ周方向に沿って延びるリブ状突起が設けられ、前記支持脚部の溝部の側面と前記嵌合部の内側面または外側面との間に、前記リブ状突起が介在し、それらが互いに係合することが望ましい。
このように互いに係合するリブ状突起を設けることによって、プロテクタの内針ハブに対する抜け止めをより確実なものとすることができる。
或いは、前記支持脚部の溝部の側面、或いは前記嵌合部の内側面または外側面のいずれか一方に、周方向に沿って延びるリブ状突起が設けられ、前記支持脚部の溝部の側面と前記嵌合部の内側面または外側面との間に、前記リブ状突起が介在し、前記支持脚部の溝部に前記嵌合部が嵌入されるようにしてもよい。
このように前記支持脚部の溝部の側面、或いは前記嵌合部の内側面または外側面のいずれか一方に周方向に延びるリブ状突起を設けることによっても、プロテクタの内針ハブに対する抜け止め効果を得ることができる。
また、前記支持脚部の溝部の側面、或いは前記嵌合部の内側面または外側面のいずれかに、軸線方向に延びるリブ状突起が設けられ、前記支持脚部の溝部の側面と前記嵌合部の内側面または外側面との間に、前記リブ状突起が介在し、前記支持脚部の溝部に前記嵌合部が嵌入されることが望ましい。
このように軸線方向に延びるリブ状突起を設けることによって、プロテクタの軸方向の位置ずれを防止することができる。
【発明の効果】
【００１５】
本発明によれば、外針を保持する外針ハブに分岐管や翼が設けられている場合にも、外針ハブを覆うためのプロテクタを大型化することなく確実に装着し、前記外針及び該外針から突出した内針を保護し、それらの位置ずれを防止すると共に安全面を確保することができる穿刺具を得ることができる。
【図面の簡単な説明】
【００１６】
【図１】図１は、本発明の一実施形態にかかる穿刺具の外観を示す斜視図である。
【図２】図２は、図１の穿刺具の側面図である。
【図３】図３は、図１における穿刺具のプロテクタを取り外した状態を示す斜視図である。
【図４】図４は、図１の穿刺具を分解した状態を示す斜視図である。
【図５】図５は、図１に示した穿刺具を示す横断面図である。
【図６】図６は、図１の穿刺具を示す縦断面図である。
【図７】図７は、外筒を示す図であって、（ａ）は斜視図、（ｂ）は横断面図、（ｃ）は縦断面図である。
【図８】図８は、内筒を示す斜視図である。
【図９】図９は、内筒を展開した状態を示す図であって、（ａ）は平面図、（ｂ）は（ａ）のＡ−Ａ断面図である。
【図１０】図１０は、プロテクタの斜視図である。
【図１１】図１１は、図１に示された穿刺具を使用する手順を説明するための穿刺状態を示す図であって、（ａ）は横断面図、（ｂ）は縦断面図である。
【図１２】図１２は、図１に示された穿刺具を使用する手順を説明するための内針ハブを伸長させた状態を示す図であって、（ａ）は横断面図、（ｂ）は縦断面図である。
【図１３】図１３は、図１に示された穿刺具を使用する手順を説明するための内針ハブの伸長が終了した状態を示す図であって、（ａ）は横断面図、（ｂ）は縦断面図である。
【図１４】図１４は、図１に示された穿刺具を使用する手順を説明するための外針を留置した状態を示す図であって、（ａ）は横断面図、（ｂ）は縦断面図である。
【図１５】従来の穿刺具にかかる動作状態を側面図である。
【図１６】従来の穿刺具の変形例を示す斜視図である。
【発明を実施するための形態】
【００１７】
以下、本発明の一実施形態にかかる穿刺具について、図１乃至図１４に基づいて説明する。
穿刺具１は、図１〜図３に示すように、カテーテル２と、前記カテーテル２に先端部が挿入される内針３と、前記内針３の一端部（基端部）を保持する筒状の注射具４と、前記カテーテル２および前記内針３の先端を覆うプロテクタ５とを備えている。また、前記穿刺具１において、前記内針３を除く全ての部品は樹脂製である。尚、図１，図２では、前記カテーテル２および前記内針３の先端部は、前記プロテクタ５に覆われて見ることができない。
【００１８】
前記カテーテル２は、図３に示すように可撓性を有する中空の管からなる外針２１と、外針２１の基端部を保持する外針ハブ２２とを有する。前記外針ハブ２２は、その側面に分岐管２２Ａ（突起部位）が設けられている。また、外針ハブ２２には、その左右両側に延設された一対の翼２２Ｂ（突起部位）が一体形成されている。前記分岐管２２Ａは、例えば患者に対し薬液を投入するためのものであり、前記一対の翼２２Ｂは、これを粘着テープ等により皮膚に固定し、カテーテル２のずれを防止するために用いられる。
【００１９】
前記注射具４は、図４〜図６に示すように、筒状の内針ハブ４１と、前記内針ハブ４１の基端（紙面左端）に圧入によって取り付けられると共に、前記内針３の基端部が保持される略円筒状の針保持部４２ａを有する尾栓４２とを備えている。
また、前記内針ハブ４１の先端側の外周面には、本体の筒径よりも拡径された筒状の嵌合部４１ａが形成されている。この嵌合部４１ａの外周面には、周方向に沿って円環状にリブ状突起４１ｂが形成され、このリブ状突起４１ｂは内針ハブ４１をプロテクタ５とより確実に嵌合させるために設けられている。
また、前記嵌合部４１ａの内周面には、軸方向へ延伸されたリブ状突起である凸部４１ｃが形成されている。この凸部４１ｃは、内針ハブ４１とプロテクタ５とをより確実に嵌合させると共に、プロテクタ５の周方向の位置ずれを防止するために設けられている。
【００２０】
また、前記注射具４は、図４に示すように前記内針ハブ４１の内部に進退自在に取り付けられた外筒６と、前記カテーテル２を把持する４つのアーム７１Ａを有し、前記外筒６の内部に進退自在に取付けられた内筒７とを備えている。
尚、本実施形態では、前記内筒７に、前記４つのアーム７１Ａが形成された場合を示しているが、２つ以上のアームでカテーテル２を保持できれば良い。
【００２１】
前記外筒６は、図７に示すように、前記外筒６の軸線に沿って形成された（内筒７の進退方向に沿って形成された）溝部６１と、前記４つのアーム７１Ａを収容するアーム開閉部６２とを備え、全体として筒状に形成されている。
尚、前記４つのアーム７１Ａは、前記アーム開閉部６２の内面の両側部に形成されたガイド溝部６２Ａに案内されながら進退可能に形成されている。
【００２２】
前記溝部６１は、図７（ｃ）に示すように、前記外筒６の周面における上部および下部の２箇所に対称となるように形成されている。
また、前記アーム開閉部６２は、図５、図６に示すように、前記外筒６に前記内筒７が収容されている場合には、前記４つのアーム７１Ａは閉じられ前記カテーテル２を把持する。
一方、前記外筒６から前記内筒７が引抜かれた（進出した）場合には、図１３、図１４に示すように、ガイド溝部６２Ａ（アーム開閉部６２）による規制がなくなるため、アーム７１Ａ自体の弾発力により、前記４つのアーム７１Ａは開き、前記カテーテル２を解放する。
【００２３】
このように、前記４つのアーム７１Ａと、前記アーム開閉部６２とによって、前記カテーテル２を把持する把持手段が構成され、前記４つのアーム７１Ａがアーム開閉部６２内に後退している状態にあっては、図５、図６に示すように、カテーテル２を把持する状態となり、前記４つのアーム７１Ａがアーム開閉部６２から進出している状態にあっては、図１３、図１４に示すように、カテーテル２を解放する状態となる。
【００２４】
具体的には、前記４つのアーム７１Ａは、図４に示すように、内筒７の周面に対して、予め開いた形状に形成されている。
そして、前記外筒６のガイド溝６２Ａ（図７参照）に、前記内筒７のアーム７１Ａが挿入（収容）されている場合には、前記４つのアーム７１Ａは前記アーム開閉部６２によって閉じた状態になされている。即ち、前記アーム開閉部６２は、前記４つのアーム７１Ａを閉じ、前記４つのアーム７１Ａが前記カテーテル２を把持する状態になされている。
【００２５】
また、前記外筒６から前記内筒７が引き抜かれる（進出する）と、図１３、図１４に示すように、前記４つのアーム７１Ａは前記アーム開閉部６２から抜出されて、元の開いた状態に戻る。
即ち、前記アーム開閉部６２によって、前記４つのアーム７１Ａは開状態となり、前記４つのアーム７１Ａは前記カテーテル２を解放する状態となる。
【００２６】
前記内筒７は、図８に示すように、前記４つのアーム７１Ａを備えた首部７１と、前記首部７１よりも縮径した軸部７２と、前記首部７１および前記軸部７２の中心を貫通し、前記内針３を挿通させる貫通孔７３とを有し、全体として筒状に成形されている。
前記軸部７２は、前記外筒６の前記溝部６１内に収容され、移動可能に形成された突出部７２Ａと、前記貫通孔７３内の内針３によって押し出されて起立し、前記溝部６１に係合する起立片７２Ｂとを備えている。
【００２７】
前記突出部７２Ａは、前記溝部６１のそれぞれに対応するように、前記軸部７２の上面および下面の２箇所に対称となるように形成されている（図５参照）。そして、前記溝部６１と前記突出部７２Ａとによって、前記外筒６に対する前記内筒７の進退方向（内筒７に対する前記外筒６の進退方向）を規制している。
尚、前記内筒７を前記外筒６に対して進出させた際、前記外筒６および内筒７は互いに分離することのないように、溝部６１の端部に前記突出部７２Ａが係止されるように構成されている。
【００２８】
ここで、前記内筒７は、図９示すように、前記起立片７２Ｂを備えた下部７Ａ（紙面左側）と、中心線ｌを挟んで反対側に形成された上部７Ｂ（紙面右側）とを一体として形成された部品であり、前記上部７Ａおよび前記下部７Ｂを折曲げ線（中心線ｌ）を中心に折り畳むことによって形成される。
【００２９】
また、前記下部７Ａおよび前記上部７Ｂの中央には、前記内筒７の軸線方向に沿って断面半円状の溝部７３Ａ，７３Ｂがそれぞれ形成されている。これらの溝部７３Ａ，７３Ｂは、前記下部７Ａおよび前記上部７Ｂを折り畳むことによって、一つの貫通孔７３が形成される。
【００３０】
また、前記起立片７２Ｂは、図５に示すように、前記貫通孔７３に前記内針３が挿入される（収容される）ことによって、前記内針３の周面によって押し出されて起立し、前記溝部６１の端部に係合する。
ここで、前記起立片７２Ｂは、前記溝部６１のうち、前記カテーテル２側の端部に係合するので、前記内筒７の前記首部７１と共働して前記外筒６を挟み込むようにして前記外筒６に係止される。
換言すれば、前記起立片７２Ｂは、前記貫通孔７３に内針３が存在する場合には、前記内針３によって起立し、外筒６と内筒７が一体となり、前記内筒７の前記外筒６からの引抜きが規制される。
【００３１】
また、前記起立片７２Ｂは、前記貫通孔７３内から前記内針３が引き抜かれ、内針３による押し出しがなくなると、前記貫通孔７３を閉塞するようにして前記内筒７の内部に収納され（復帰し）、前記溝部６１との係合が解除される。
換言すれば、前記起立片７２Ｂは、前記貫通孔７３に内針３が存在しない場合には、前記外筒６に係止されないため、外筒６と内筒７とが分離可能となり、前記外筒６から前記内筒７を引抜くことができる。
【００３２】
尚、前記内針ハブ４１、および前記外筒６の夫々の端部４１ｄ、６３には係合部が形成されており、伸長した際、前記端部４１ｄ、６３に形成された係合部が係止することによって、互いに分離（離間）することのないように構成されている。
【００３３】
また、プロテクタ５は、図１０に示すように、外針２１及び外針２１の先端から突出した内針３を収容可能な円筒部５１（図５，図６参照）と、この円筒部５１の外側周面から拡径しながら軸方向に延びる一対の支持脚部５２とを有する。円筒部５１は、プロテクタ５をカテーテル２に装着した際に、その後端が外針ハブ２２に形成された段差部２２Ｃに当接しカテーテル２を固定するようになっている。
前記一対の支持脚部５２は、例えば、中空円錐体からなるキャップ形状の左右両側を軸方向に沿って切り欠くことで形成される。これにより、プロテクタ５の側面において、一対の支持脚部５２の間には開口部５３が形成される。
また、前記支持脚部５２は、その先端に円筒部５１の同心円に沿って（嵌合部４１ａの周方向に沿って）湾曲形成された溝部５２ａが設けられ、溝部５２ａは所定の長さと幅を有している。また、溝部５２ａを形成する外側壁の内側面には、周方向に延びるリブ状突起５２ｂが形成され、このリブ状突起５２ｂが前記内針ハブ４１の有する嵌合部４１ａのリブ状突起４１ｂを乗り越えて軸方向に重なることにより係止するようになっている。また、前記したように嵌合部４１ａの内周面に、軸方向へ延伸された凸部４１ｃが形成されているため、前記嵌合部４１ａが溝部５２ａに嵌入されると、前記凸部４１ｃが溝部５２ａの内側面に当接し、プロテクタ５の軸方向の位置ずれが防止されるようになっている。
【００３４】
プロテクタ５を装着する際には、図５に示すように一対の支持脚部５２の先端に設けられた溝部５２ａにそれぞれ内針ハブ４１の嵌合部４１ａの一部を嵌入させ、溝部５２ａ内のリブ状突起５２ｂを嵌合部４１ａのリブ状突起４１ｂに係止させる。これによりプロテクタ５が内針ハブ４１に対し安定して装着（嵌合）された状態となり、プロテクタ５の支持脚部５２に支持された円筒部５１に、外針２１及び該外針２１の先端から突出した内針３が収容される。
【００３５】
また、図１、図２に示すように、プロテクタ５の側面に設けられた上側の開口部５３に外針ハブ２２の分岐管２２Ａが配置され、下側の開口部５３に一対の翼２２Ｂが配置された状態となるため、支持脚部５２は前記分岐管２２Ａと一対の翼２２Ｂとに干渉することなく内針ハブ４１の嵌合部４１ａに嵌合する。
即ち、外針ハブ２２に分岐管２２Ａや翼２２Ｂが設けられている場合にも、プロテクタ５を大型化することなく確実に装着することができ、円筒部５１により外針２１及び該外針２１の先端から突出した内針３を収容して保護することができる。
尚、本実施形態においては、外針ハブ２２に分岐管２２Ａと翼２２Ｂとが共に設けられている場合を示し、それらと干渉しないように一対の（２本の）支持脚部５２が設けられているものとした。しかしながら、いずれか一方のみが設けられている場合、例えば分岐管２２Ａのみが設けられている場合には、１つの開口部５３を有する１つの支持脚部５２とし、前記開口部５３に分岐管２２Ａを配置するようにしてもよい。
【００３６】
次に、このような穿刺具１を使用する場合について説明する。
まず、図１、図２に示す穿刺具１からプロテクタ５を外し、図３に示すようにカテーテル２および内針３を露出させる。尚、前記プロテクタ５を外す際には、内針ハブ４１に対し、プロテクタ５を軸方向（離間する方向）に引き抜くことで嵌合部４１ａのリブ状突起４１ｂとプロテクタ５の溝部５２ａのリブ状突起５２ｂとの係合が解除され、プロテクタ５が内針ハブ４１から分離される。
そして、図１１に示すように、前記カテーテル２および前記内針３を血管（患者の身体１１０）に穿刺する。
【００３７】
その後、前記カテーテル２を留め置きするために、前記内針ハブ４１を軸方向に沿って前記カテーテル２から離間する方向に移動させる（引抜動作を行う）。この内針ハブ４１の引抜き動作により、前記注射具４は伸長する。
【００３８】
具体的には、前記カテーテル２を留置した状態において、前記内針ハブ４１を軸方向に沿って前記カテーテル２から離間させる（図１２に示す矢印方向に引抜動作を行う）と、前記内針ハブ４１が軸方向に沿って移動し、前記注射具４は全体として伸長することになる。このとき、カテーテル２は内筒７によって保持され、内筒７と外筒６は起立片７２Ｂによって一体化している。
【００３９】
したがって、内針３の後端部（基端部）を保持する内針ハブ４１を軸方向に沿って移動すると、内針３も同様に軸方向に沿って移動する。そして、カテーテル２内から引出されることで、引抜き出された内針３が内筒７、外筒６、内針ハブ４１内に覆われる（図１２参照）。
【００４０】
更に、前記内針ハブ４１を軸方向に沿って前記カテーテル２から離間させる。そして、図１３に示すように、内針３の先端が起立片７２Ｂを通過すると、起立片７２Ｂは前記内針３の側面から力を受けない状態となり、元の状態に戻り、貫通孔７３を閉塞する。
これにより、内針ハブ４１をカテーテル２側に移動させる力が作用しても、内針３は、前記起立片７２Ｂによって移動が規制され、再びカテーテル２内に戻ることはない。
【００４１】
更に、前記内針３による起立片７２Ｂの押し出しが解除されると、前記外筒６との係止状態が解除される。その結果、外筒６と内筒７が分離可能となり、前記内針ハブ４１の移動に伴って、前記外筒６が軸方向に沿って移動することになる。
このとき、前記溝部６１は前記突出部７２Ａに案内されるため、前記内筒７の突出部７２Ａに案内されながら、前記外筒６は前記内針ハブ４１から引抜き出される。
【００４２】
更に、前記内針ハブ４１を軸方向に沿って前記カテーテル２から離間させ、前記外筒６を移動させ、前記外筒６から前記内筒７が抜出されると、図１３に示すように、前記４つのアーム７１Ａを開いて、前記４つのアーム７１Ａによるカテーテル２の保持状態を解放する。
即ち、前記内針ハブ４１を軸方向に沿って前記カテーテル２から離間させて前記注射具４を伸長させることによって、前記カテーテル２から抜出された前記内針３が前記内筒７、外筒６、内針ハブ４１の内部に収容されると、前記４つのアーム７１Ａとアーム開閉部６２によるカテーテル２の保持状態から、カテーテル２を解放する。
【００４３】
これによって、図１４に示すように、前記カテーテル２を血管に留置しつつ、前記内針３を前記カテーテル２から引抜き出して前記注射具４の内部に収容するとともに、前記カテーテル２は前記注射具４から取り外される。
このように、前記穿刺具１は、前記内針３を前記カテーテル２から引抜き動作のみによって、前記内針３を前記注射具４の内部に収容することができ、しかも前記カテーテル２を前記注射具４から取り外すことができる。
【００４４】
以上のように本発明に係る一実施形態によれば、プロテクタ５の側面には、支持脚部５２の間に開口部５３が設けられるため、前記開口部５３に外針ハブ２２の分岐管２２Ａと一対の翼２２Ｂとを配置することができ、支持脚部５２を前記分岐管２２Ａ及び翼２２Ｂに干渉させずに内針ハブ４１に嵌合させることができる。
即ち、外針ハブ２２に分岐管２２Ａや翼２２Ｂが設けられていても、プロテクタ５を大型化することなく確実に装着することができ、円筒部５１により外針２１及び該外針２１の先端から突出した内針３を収容して保護し、それらの位置ずれを防止すると共に安全面を確保することができる。
【００４５】
尚、本実施形態では、筒状体が前記外筒６、および前記内筒７によって構成されている場合を例にとって説明したが、特にこの構成に限定されるものではなく、例えば、前記内針ハブと外筒、内筒とを延伸する中継筒（図示せず）を備えた穿刺具であっても良い。前記筒状体は外針ハブを把持する把持手段を有し、内針ハブの内部に進退自在に挿入できるように（収容できるように）取り付けられていれば良い。
【００４６】
また、本実施形態では、把持手段として、前記４つのアーム７１Ａと、前記アーム開閉部６２とによって構成されている場合を例にとって説明したが、特にこの構成に限定されるものではない。前記把持手段は、内針ハブを軸方向に沿って外針ハブから離間させて内針ハブを伸長させることによって、外針ハブから引き抜かれた内針が筒状体の内部に収容された際、外針ハブを解放することができるように構成されていれば良い。
【００４７】
また、前記実施の形態においては、支持脚部５２の溝部５２ａの内側面に内方に突起するリブ状突起５２ｂが設けられ、嵌合部４１ａの外側面に外方に突起するリブ状突起４１ｂが設けられ、それらが互いに係合するものとしたが、本発明にあってはそれに限定されるものではない。
例えば、支持脚部５２の溝部５２ａの内側面に、周方向に沿って外方に突起するリブ状突起を設け、嵌合部４１ａの内側面に、周方向に沿って内方に突起するリブ状突起を設け、それらが互いに係合するようにしてもよい。
いずれの場合にも、支持脚部５２の溝部５２ａの側面と嵌合部４１ａの内側面または外側面との間に、少なくとも２つのリブ状突起が介在することになり、それらを互いに係合させることによって、プロテクタ５を内針ハブ４１に強固に嵌合させることができる。
或いは、支持脚部５２の溝部５２ａ、或いは嵌合部４１ａの内側面または外側面のいずれか一方に周方向に延びるリブ状突起を設けてもよい。
そのように構成しても、前記リブ状突起が、支持脚部５２の溝部５２ａの側面と嵌合部４１ａの内側面または外側面との間に介在することになり、前記嵌合部４１ａを前記溝部５２に嵌入することができる。
【００４８】
また、前記実施の形態においては、嵌合部４１ａの内側面に、軸方向へ延伸された凸部４１ｃ（リブ状突起）が設けられ、この凸部４１ｃが溝部５２ａの内側面と嵌合部４１ａの内側面との間に介在するものとした。
しかしながら、本発明にあっては、その構成に限定されるものではなく、軸方向に延びる凸部を、例えば、支持脚部５２の溝部５２ａの内側面に設け、それが溝部５２ａの内側面と嵌合部４１ａの内側面または外側面との間に介在するようにしてもよい。
或いは、軸方向に延びる凸部を、嵌合部４１ａの外側面に設け、それが溝部５２ａの内側面と嵌合部４１ａの外側面との間に介在するようにしてもよい。
いずれの構成においても、支持脚部５２の溝部５２ａの側面と嵌合部４１ａの内側面または外側面との間に凸部４１ｃが介在し、前記嵌合部４１ａを前記溝部５２に嵌入することができる。
【符号の説明】
【００４９】
１              穿刺具
２              カテーテル
３              内針
４              注射具
５              プロテクタ
６              外筒（筒状体）
７              内筒（筒状体）
７Ａ            上部
７Ｂ            下部
２１            外針
２２            外針ハブ
２２Ａ          分岐管（突起部位）
２２Ｂ          翼（突起部位）
２２Ｃ          段差部
４１            内針ハブ
４１ａ          嵌合部
４１ｂ          リブ状突起
４１ｃ          凸部
４２            尾栓
４２ａ          針接続部
５１            円筒部
５２            支持脚部
５２ａ          溝部
５２ｂ          リブ状突起
６１            溝部
６２            アーム開閉部（把持手段）
７１            首部
７１Ａ          アーム（把持手段）
７２            軸部
７２Ａ          突出部
７２Ｂ          起立片
７３            貫通孔
７３Ａ，７３Ｂ  溝部
７４            内部空間
７４Ａ，７４Ｂ  凹部
１１０          患者の身体
【図１】
2014069028.tif 000003
【図２】
2014069028.tif 000004
【図３】
2014069028.tif 000005
【図４】
2014069028.tif 000006
【図５】
2014069028.tif 000007
【図６】
2014069028.tif 000008
【図７】
2014069028.tif 000009
【図８】
2014069028.tif 000010
【図９】
2014069028.tif 000011
【図１０】
2014069028.tif 000012
【図１１】
2014069028.tif 000013
【図１２】
2014069028.tif 000014
【図１３】
2014069028.tif 000015
【図１４】
2014069028.tif 000016
【図１５】
2014069028.tif 000017
【図１６】
2014069028.tif 000018